(57)【要約】【課題】試合時間が延長しても最後まで録画目的の番組を逃さずに録画できる、更には延長のあった放送後に放送される番組の録画も正しく行われ、放送時間が変動しても目的の番組を録り逃すことのない番組予約システムを提供する。【解決手段】ビデオ録画装置２００の録画時間制御手段６０はテレビ放送信号に重畳された放送時間情報を受信復調して、録画終了時間を再設定する。あるいはビデオ録画装置２００は録画開始、録画終了時の所定時間前に前述のインターネット上の放送時間管理サーバーにアクセスして録画時間の制御を行う。【選択図】図１
2005159526.tif 000002
【特許請求の範囲】
【請求項１】
目的の番組を予約する録画装置と、録画開始・録画終了の所定時間前に番組が予定時間通りに放送されているかの放送時間情報を取得し、前記放送時間情報によって録画時間の制御を行う録画時間制御手段とを備えた番組予約システム。
【請求項２】
番組が時間通りに放送されているかの放送時間情報を管理する放送時間管理手段と、前記放送時間管理手段からの放送時間情報をテレビ放送信号に重畳し、録画装置の受信手段により前記テレビ放送信号を検波復調することにより放送時間情報を取得し録画時間の制御を行う請求項１の番組予約システム。
【請求項３】
番組が時間通りに放送されているかの放送時間情報を通信ネットワーク上のサーバーより得る請求項１の番組予約システム。
【請求項４】
放送時間情報によって録画時間の変更があった場合、既に録画予約してある録画プログラムと録画時間が重複した時に番組の重複を報知する請求項１〜３のいずれか１項記載の番組予約システム。
【請求項５】
サーバーより得た放送時間情報によって録画時間の変更があった場合、既に録画予約してある録画プログラムと録画時間が重複した時に、録画装置の予約制御画面に切り替えて録画優先する番組の選択を促す請求項１〜３のいずれか１項記載の番組予約システム。
【請求項６】
請求項１〜５のいずれか１項記載の番組予約システムの機能の少なくとも一部をコンピュータに実行させるためのプログラム。
【発明の詳細な説明】
【技術分野】
【０００１】
本発明は、テレビ放送の番組予約時間が番組表通りに放送されているかを管理することで、テレビ番組の予約を時間延長等が発生しても、尻切れや、頭切れ無く録画しようとするものである。
【背景技術】
【０００２】
従来、一般的なテレビ番組予約は、自宅で、録画装置のリモコンを使って、目的の番組の開始時間、終了時間、チャンネルを入力するか、Ｇコード（Ｒ）等の簡易予約手段、最近ではＩＥＰＧ（Ｒ）と呼ばれるインターネット番組表からの予約を使う物が一般的である。
【特許文献１】特開平１０−１６４４８７号公報
【発明の開示】
【発明が解決しようとする課題】
【０００３】
今までの番組予約システムは目的の放送が、当初の時間通りに放送されることを前提に、録画開始時間 、終了時間を決定していた。
【０００４】
しかしながら、スポーツ番組の様に、予定の時間内に決着がつかず延長になるケースがしばしばある。スポーツ番組を最後まで録画したい人には延長部分が尻切れになるし、スポーツ番組後の番組を録画予約している人には、目的の番組が、余分な放送から録画され、目的の番組全てを録画できなくなる欠点があった。
【０００５】
本発明は、この不都合を解決し、目的の番組をジャスト録画する番組予約システムに関する物である。
【課題を解決するための手段】
【０００６】
この課題を解決するため、目的の番組を予約する録画装置と、録画開始・録画終了の所定時間前に番組が予定時間通りに放送されているかの放送時間情報を取得し、前記放送時間情報によって録画時間の制御を行う録画時間制御手段とを備え、番組が正時に放送されているかの情報を取得し、その情報から録画開始時間又は録画中の番組の終了時間の延長を実施することで、尻切れ、頭切れの無い番組録画を可能にするものである。
【発明の効果】
【０００７】
スポーツ番組の様に、試合時間が延長しても、最後まで録画目的の番組を逃さずに録画できる、更には延長のあった放送後に放送される番組の録画も正しく行われ、放送時間が変動しても、目的の番組を録り逃すことのない番組予約システムを提供できる。
【発明を実施するための最良の形態】
【０００８】
第１の発明は、予め目的の番組を特定して予約する録画装置と、録画開始・録画終了の所定時間前に番組が予定時間通りに放送されているかの放送時間情報を取得し、前記放送時間情報によって録画時間の制御を行う録画時間制御手段とを備えた番組予約システムであり、目的の番組の放送開始時間、放送終了時間に合わせて録画開始、終了するものである。
【０００９】
第２の発明は、特に第１の発明において、番組が時間通りに放送されているかの放送時間情報を管理する放送時間管理手段と、前記放送時間管理手段からの放送時間情報をテレビ放送信号に重畳し、録画装置の受信手段により前記テレビ放送信号を検波復調することにより放送時間情報を取得し録画時間の制御を行う番組予約システムであり、テレビ放送信号に重畳された放送時間情報により録画時間を調整するものである。
【００１０】
第３の発明は、番組が時間通りに放送されているかの放送時間情報を通信ネットワーク上のサーバーより得ることにより、録画時間を調整するものである。
【００１１】
第４の発明は、放送時間情報によって録画時間の変更があった場合、既に録画予約してある録画プログラムと録画時間が重複した時に番組の重複を報知する番組予約システムである。
【００１２】
第５の発明は、放送時間情報によって録画時間の変更が判明した場合、既に録画予約してある録画プログラムと録画時間が重複した時に、録画装置の予約制御画面に切り替えて録画優先する番組の選択を促す番組予約システムである。
【００１３】
第６の発明は、請求項１〜５のいずれか１項記載の番組予約システムの機能の少なくとも一部をコンピュータに実行させるためのプログラムである。そして、プログラムであるので、ＣＰＵ（マイコン）、ＲＡＭ、ＲＯＭ、記憶装置、Ｉ／Ｏなどを備えた電気情報機器、コンピュータ、サーバー等のハードリソースを協働させて本発明の番組予約システムの少なくとも一部を容易に実現することができる。また記録媒体に記録したり通信回線を用いてプログラムを配信したりすることでプログラムの配布やインストール作業が簡単にできる。
【００１４】
（実施の形態１）
図１を使って、実施の形態１の発明について説明する。
【００１５】
図１はＴＶ局からの放送波を受信して、録画する番組予約システムのブロック構成図である。ＴＶ放送局１００でＴＶ放送設備１０には録画装置による録画や生で中継された放送テレビ信号が導かれている。ここは、ＴＶ信号をそのまま電波に重畳して放送信号に変換するだけなので詳細な説明は省略する。
【００１６】
ここで、予め、新聞やテレビガイド等に発表した放送スケジュールどおりに放送されているかを管理する放送時間管理手段２０がある。
【００１７】
例えば、１９：００から放送が始まって、２０：３０に放送を終了する予定の番組があったとする。普通、ユーザーが目的のＴＶ番組を予約録画する場合は、各家庭にあるビデオ録画装置２００の録画時間制御手段６０に目的の番組のチャンネル、開始時間、終了時間をＧコード（Ｒ）、ＥＰＧ（Ｒ）等を使って番組を予約する。ここで先ほどの１９：００から２０：３０までの放送が録画される場合を考えてみる。
【００１８】
既に、ユーザーによって、目的の番組予約されたビデオ録画装置２００は、内部にある録画時間制御手段６０により目的の放送開始時間の数分前に電源を投入され、録画準備状態で待機し予定の番組放送時間になったら、録画開始を行う。
【００１９】
普通であれば指定した番組の放送時間丁度に録画を開始するが、本発明では放送局側が放送開始・放送終了の所定時間前に正時に放送が行われているかの放送時間情報をテレビ放送信号に重畳して放送し、前述の録画待機中のビデオ録画装置２００はこの放送時間情報を受信して、録画の開始・終了を制御する。
【００２０】
スポーツ放送等で試合時間が延長によって放送時間が延長することは放送局側では予め予想できるので、番組終了の所定時間（例えば５分前）になったら、番組が続くのか、正時に終了するかの放送時間情報をテレビ放送信号に重畳して出力する。
【００２１】
ビデオ録画装置２００の録画時間制御手段６０はテレビ放送信号に重畳された放送時間情報を受信復調して、録画終了時間を再設定する。
【００２２】
例えば、正時に終了するのであれば０を、１５分延長するのなら＋１５を、３０分延長が決まっていれば＋３０を重畳して放送する。ビデオ録画装置は２０：２５分になったらテレビ放送信号から録画終了時間を取得して録画終了時間を再設定する。
【００２３】
ここでは、一例として番組の終了時間の延長について述べたが、録画開始時間についても同様に、放送時間情報をテレビ放送信号より取得することで正しく放送開始時間より録画を開始することができる。
【００２４】
（実施の形態２）
図２、３を使って、実施の形態２について説明する。
【００２５】
実施の形態１では番組が正時間どおりに放送されているかの情報を放送局からのテレビ放送信号に重畳して送出する一例を説明したが、本実施例はインターネット上に放送時間情報を管理する放送時間管理サーバー３００を準備し、各放送局の放送時間を一括管理する。ビデオ録画装置２００は録画開始、録画終了時の所定時間前に前述のインターネット上の放送時間管理サーバー３００にアクセスすることで、録画時間の制御を行うものである。インターネット上の放送時間管理サーバー３００は、テレビ局からの放送時間情報を速やかに取得し、放送時間管理サーバー３００が持っている放送時間情報を更新することで、利用者宅のビデオ録画装置からの番組放送時間取得に対応するものである。
【００２６】
放送時間管理サーバー３００をインターネット上の固定ＩＰアドレスとすれば、利用者からのアクセスは容易である。
【００２７】
図３に放送局とビデオ録画装置のブロック構成図を示す。図２のＴＶ放送局と番組録画装置の内部ブロックを示したものである。
【００２８】
各ＴＶ放送局は放送する番組が時刻通りに放送されているかの情報をインターネット上の放送時間管理サーバ（図２の３００）に登録する。ビデオ録画装置２１０の録画時間制御手段６０は実施の形態１で説明したと同じように、録画開始・録画終了の所定時間前に放送時間情報をネットワーク接続手段８０を使って取得する。
【００２９】
実施の形態１ではテレビ放送信号に重畳するので放送設備を改良する必要があるが、本実施の形態でＴＶ信号には一切手を加える事はないので、放送設備は今まで通りで良いというメリットもある。
【００３０】
（実施の形態３）
図２、３の構成において図４を使って、実施の形態３について説明する。
【００３１】
図４は録画装置側で、利用者が番組予約を設定した状況を示すものである。
【００３２】
図４（ａ）のように、録画中の番組（２０：００〜２１：００までの放送予定）が１５分延長になった場合である（５００）。２１：００の番組終了より所定時間前に番組延長の情報を取得し、録画の終了を２１：１５まで延長しても５１０の予約番組と重複する時間帯は無いのでこの場合は報知は行われない。
【００３３】
図４（ｂ）のように、利用者が予め５２０の予約を行った状態で、同じように番組延長になった場合で、今度は３０分の延長になった場合を示す。この場合、録画時間帯で５３０の時間帯の重複が発生する。ビデオ録画装置は２１：００分の所定時間前に延長時間を取得できるので、延長時間情報を取得した時点で図３（ｂ）の様に番組５２０と番組５４０の重複を検出できる。時間重複がみつかれば、報知手段により例えばランプ点灯やアラーム鳴動によって、利用者に報知するものである。
【００３４】
（実施の形態４）
図５を使って実施の形態４について説明する。実施の形態３で２以上の番組の録画時間が重複した時には利用者に報知するシステムにより、利用者は番組の重複を知ることができる事を説明した。利用者は重複した時間帯はどちらを録画するかを選択する必要があり、録画装置は録画番組選択画面（図５）を出力する、利用者は、重複した番組から、優先録画したい番組を選んで入力すると予約が完了して重複した予約番組から録画したい番組を残す事ができる。
【００３５】
なお本実施例ではビデオ録画装置で説明したが、ビデオに限らずＤＶＤやＨＤＤなど録画装置であればよい。また録画装置を制御するプログラムで実施しても良い。
【産業上の利用可能性】
【００３６】
以上実施の形態で説明したように、利用者は目的の番組を録画装置に予約するだけで、録画装置の録画時間制御手段が放送波に重畳された放送時間情報を重畳された放送波より取得するか、インターネット上に用意されたサーバーにアクセスして、録画開始時間、録画終了時間を再設定することで番組の放送時間が変更になっても目的の番組を頭切れ尻切れなく録画することができるものである。
【図面の簡単な説明】
【００３７】
【図１】本発明の実施の形態１における番組予約システム（放送波重畳タイプ）のシステム構成図
【図２】本発明の実施の形態２における番組予約システム（インターネットサーバータイプ）のシステム構成図
【図３】本発明の実施の形態２における番組予約システム（インターネットサーバータイプ）の要素ブロック構成図
【図４】本発明の実施の形態３における録画時間重複を説明するタイムチャート
【図５】本発明の実施の形態４における番組予約システムの選択画面の一例図
【符号の説明】
【００３８】
５  インターネット網（通信ネットワーク）
１０  ＴＶ放送設備
２０  放送時間管理手段
３０  チューナー
４０  復調手段
５０  録画手段
６０  録画時間制御手段
１００、１１０  ＴＶ放送局
２００、２１０  ビデオ録画装置（録画装置）
３００  放送時間管理サーバー（サーバー）
５００  第１の予約番組
５１０  第２の予約番組
５２０  第３の予約番組
５３０  重複した予約録画時間
５４０  第４の予約番組
【図１】
2005159526.tif 000003
【図２】
2005159526.tif 000004
【図３】
2005159526.tif 000005
【図４】
2005159526.tif 000006
【図５】
2005159526.tif 000007